(57)【要約】【課題】スキューが発生しても縁無し印刷や設定どおりの余白幅での印刷を実現でき、元の印刷データに加えた補正の効果をそのまま維持できるプリンターおよびその印刷方法を提案すること。【解決手段】プリンター１の制御部１０は、センサーユニット９の検出結果に基づき、印刷位置Ａにおける記録紙３の基準通過領域Ｃからのはみ出し方向Ｄおよびはみ出し幅Ｅを算出する。そして、記録紙３が基準通過領域Ｃを通過することを前提として生成された印刷データの各印刷ドット列１１を、はみ出し方向Ｄとは逆側の端部をはみ出し幅Ｅと同一長さ分だけカットして印刷する。一方、各印刷ドット列１１におけるはみ出し方向Ｄ側の端部に、はみ出し幅Ｅと同一長さのドット列１３を追加して印刷する。このドット列１３は、元の印刷ドット列１１のはみ出し方向Ｄ側の最も端に位置する印刷ドット１４をコピーしたものである。【選択図】図５
2011183763.tif 000002
【特許請求の範囲】
【請求項１】
印刷ヘッドによる印刷位置を経由する搬送路に沿って記録媒体を搬送しながら、前記印刷位置を通過する前記記録媒体の部分に印刷を行うプリンターの印刷方法であって、
前記印刷位置における前記記録媒体の幅方向の基準通過領域を設定し、
前記記録媒体を前記搬送路に沿って搬送しながら、前記記録媒体の前記搬送路における幅方向の通過位置を検出し、
当該検出した通過位置に基づき、前記印刷位置にある前記記録媒体の部分の前記基準通過領域からのはみ出し方向およびはみ出し幅を判定し、
前記印刷位置において前記記録媒体が前記基準通過領域にあることを前提とした印刷データから、前記印刷位置にある前記記録媒体の部分への印刷画素列を抽出し、当該印刷画素列における前記はみ出し方向側の端部に、前記はみ出し幅に応じた長さの画素列を追加して印刷することを特徴とするプリンターの印刷方法。
【請求項２】
請求項１において、
前記印刷画素列における前記はみ出し方向側の最も端に位置する１画素を抽出し、
当該１画素と同一の画素を前記はみ出し幅に応じた長さに並べた画素列を、前記印刷画素列における前記はみ出し方向側の端部に追加することを特徴とするプリンターの印刷方法。
【請求項３】
請求項１または２において、
前記はみ出し幅と同一長さの画素列を、前記印刷画素列における前記はみ出し方向側の端部に追加することを特徴とするプリンターの印刷方法。
【請求項４】
請求項１ないし３のいずれかの項において、
前記印刷画素列における前記はみ出し方向とは逆側の部分を、前記はみ出し幅に応じた長さ分だけ削除して印刷することを特徴とするプリンターの印刷方法。
【請求項５】
請求項１ないし３のいずれかの項において、
前記印刷画素列における前記はみ出し方向とは逆側の部分を、前記はみ出し幅と同一長さ分だけ削除して印刷することを特徴とするプリンターの印刷方法。
【請求項６】
印刷位置を経由する搬送路に沿って記録媒体を搬送する搬送手段と、
前記印刷位置を通過する前記記録媒体の部分に印刷を行う印刷ヘッドと、
前記記録媒体の前記搬送路における幅方向の通過位置を検出する検出手段と、
請求項１ないし５のいずれかの項に記載のプリンターの印刷方法により、前記記録媒体への印刷を行う制御部とを有することを特徴とするプリンター。
【請求項７】
請求項６において、
前記印刷ヘッドは、ライン方式のものであり、
前記検出手段は、前記記録媒体の幅方向の端を検出することを特徴とするプリンター。
【発明の詳細な説明】
【技術分野】
【０００１】
本発明は、記録媒体が斜めに搬送される状態（いわゆるスキュー）に起因する印刷の不具合を抑制できるプリンターおよびその印刷方法に関する。
【背景技術】
【０００２】
記録媒体の搬送精度が悪くスキューが発生するプリンターにおいては、スキューが発生すると、印刷データを想定どおりのレイアウトで印刷できないという問題点がある。例えば、記録媒体の幅と同一幅の領域に印刷する印刷データを用いて縁無し印刷を行った場合に、印刷が行われた領域の外側に斜行量に応じた形状の余白が残ってしまい、目標とする縁無し印刷を行うことができない。また、印刷領域の外側に余白を設けた印刷データの印刷においても、スキューが発生すると、余白の幅が設定した幅と異なってしまう。また、余白の幅を一定にすることもできない。
【０００３】
また、スキューにより、記録媒体から印刷領域がはみ出すという問題点もある。この場合には、記録媒体から外れた位置に印刷が行われるため、ラベル紙の場合にラベルから外れた台紙部分が汚れたり、プラテンがインクで汚れるなどの不具合が発生する。このような印刷領域のはみ出しを防止する方法としては、予め、スキューによる印刷領域のはみ出し寸法を想定し、この寸法に応じた余白を確保できるように、印刷領域のサイズを記録媒体よりも小さめに設定することが行われている。
【０００４】
また、特許文献１には、スキューによる記録媒体の位置ずれ量および位置ずれ方向を検出し、検出した位置ずれ量および位置ずれ方向に応じて、印刷データにおける各桁（各画素）の印刷位置をシフトさせるプリンターが開示されている。この方法によれば、スキューが発生していても縁無し印刷や設定どおりの余白幅の印刷を行うことができる。また、印刷内容の欠落を防止するために、想定されるスキュー量に応じた余白を確保しておく必要がないので、印刷領域を拡大できる。
【先行技術文献】
【特許文献】
【０００５】
【特許文献１】特開２００７−２３００７１公報
【発明の概要】
【発明が解決しようとする課題】
【０００６】
ここで、多数のノズルや発熱体などの印刷ドット形成手段を備える記録ヘッドにおいては、記録ヘッドの製造誤差や取り付け誤差などによって、異なるノズルや発熱体などを用いて形成した場合の印刷ドット間に濃度ムラなどが発生してしまう。そこで、このような濃度ムラを解消するため、ノズル毎にインク吐出量に補正を加えたり、あるいは、発熱体毎に加熱量に補正を加えることによって印刷品質の向上を図っている。
【０００７】
このような補正を行っている場合には、特許文献１のように各画素の印刷位置をシフトさせる処理を行うと、各画素を印刷するために用いられるノズルや発熱体などが、シフト処理によって当初の設定とずれてしまう。そのため、シフト前の印刷データが、各画素を目標どおりの濃度で印刷するための補正を加えたデータであった場合には、補正によって意図した効果を得られなくなるため、印刷品質を向上させることができないという問題点がある。
【０００８】
本発明の課題は、この点に鑑みて、印刷結果へのスキューの影響を軽減でき、スキューが発生しても縁無し印刷や設定どおりの余白幅での印刷を実現できると共に、印刷品質の向上のために元の印刷データに加えた補正の効果をそのまま維持することが可能なプリンターおよびその印刷方法を提案することにある。
【０００９】
また、本発明の他の課題は、スキューに起因する記録媒体からの印刷のはみ出しを確実に防止できるプリンターおよびその印刷方法を提案することにある。
【課題を解決するための手段】
【００１０】
上記の課題を解決するために、本発明は、印刷ヘッドによる印刷位置を経由する搬送路に沿って記録媒体を搬送しながら、前記印刷位置を通過する前記記録媒体の部分に印刷を行うプリンターの印刷方法であって、
前記印刷位置における前記記録媒体の幅方向の基準通過領域を設定し、
前記記録媒体を前記搬送路に沿って搬送しながら、前記記録媒体の前記搬送路における幅方向の通過位置を検出し、
当該検出した通過位置に基づき、前記印刷位置にある前記記録媒体の部分の前記基準通過領域からのはみ出し方向およびはみ出し幅を判定し、
前記印刷位置において前記記録媒体が前記基準通過領域にあることを前提とした印刷データから、前記印刷位置にある前記記録媒体の部分への印刷画素列を抽出し、当該印刷画素列における前記はみ出し方向側の端部に、前記はみ出し幅に応じた長さの画素列を追加して印刷することを特徴としている。
【００１１】
本発明は、このように、印刷データに含まれる元の印刷画素列の印刷位置を変更しない。このため、印刷データについて行われた濃度補正等の効果をそのまま維持できる。また、スキュー等によって基準通過領域からはみ出てしまう部分、すなわち、従来は新たに余白となってしまっていた部分にまで印刷画素列を延長できる。このようにすれば、スキューが発生しても、印刷領域の端のラインを記録媒体の縁のラインに対して傾けないようにすることができるので、印刷結果へのスキューの影響を軽減できる。特に、追加する画素列の長さを適切に設定すれば、縁無し印刷や設定どおりの余白幅を確実に実現できる。
【００１２】
このとき、前記印刷画素列における前記はみ出し方向側の最も端に位置する１画素を抽出し、当該１画素と同一の画素を前記はみ出し幅に応じた長さに並べた画素列を、前記印刷画素列における前記はみ出し方向側の端部に追加することが望ましい。このようにすれば、追加した画素列が元の印刷画素列に違和感なく接続され、追加した画素列を元の印刷画素列から判別し難くなる。よって、印刷結果が不自然にならない。また、画素を追加したことをユーザーが気づき難くなる。
【００１３】
また、前記はみ出し幅と同一長さの画素列を、前記印刷画素列における前記はみ出し方向側の端部に追加することにより、縁無し印刷や設定どおりの余白幅を確実に実現することができる。
【００１４】
本発明において、前記印刷画素列における前記はみ出し方向とは逆側の部分を、前記はみ出し幅に応じた長さ分だけ削除して印刷することが望ましい。このようにすれば、削除した部分が記録媒体から外れた位置へ印刷されることを確実に防止でき、スキューに起因する記録媒体からの印刷のはみ出しを抑制できる。特に、前記印刷画素列における前記はみ出し方向とは逆側の部分を、前記はみ出し幅と同一長さ分だけ削除して印刷する場合には、スキューに起因する記録媒体からの印刷のはみ出しを完全に防止できる。よって、ラベル紙を記録紙とした場合のラベルから外れた位置への印刷のはみ出しを防止でき、台紙部分の汚れやプラテンの汚れを防止できる。
【００１５】
次に、本発明のプリンターは、
印刷位置を経由する搬送路に沿って記録媒体を搬送する搬送手段と、
前記印刷位置を通過する前記記録媒体の部分に印刷を行う印刷ヘッドと、
前記記録媒体の前記搬送路における幅方向の通過位置を検出する検出手段と、
上記のプリンターの印刷方法により、前記記録媒体への印刷を行う制御部とを有することを特徴としている。
【００１６】
また、本発明のプリンターにおいて、前記印刷ヘッドは、ライン方式のものであり、前記検出手段は、前記記録媒体の幅方向の端を検出する構成とすることができる。このように、印刷データをシフトレジスタによりシフトさせながら転送するライン方式の印刷ヘッドを用いれば、印刷データの先頭または最後をコピーして追加したり、空白を追加して印刷しないようにすることが簡単にできる。また、記録紙の端を検出することで、容易にスキューを検出することができる。
【発明の効果】
【００１７】
本発明によれば、元の印刷データについて行われた濃度補正等の効果をそのまま維持できる。また、スキュー等によって基準通過領域からはみ出てしまう部分、すなわち、従来は新たに余白となってしまっていた部分にまで印刷画素列を延長できるので、印刷結果へのスキューの影響を軽減できる。特に、追加する画素列の長さを適切に設定すれば、縁無し印刷や設定どおりの余白幅を確実に実現できる。
【図面の簡単な説明】
【００１８】
【図１】本発明を適用したプリンターの主要部分の概略構成図である。
【図２】記録紙に形成される印刷ドット列の説明図である。
【図３】記録紙の斜行（スキュー）が発生したときの状態を示す説明図である。
【図４】本発明を適用した印刷方法のフローチャートである。
【図５】スキューが発生した場合に印刷する印刷ドット列の説明図である。
【発明を実施するための形態】
【００１９】
以下に、図面を参照して、本発明を適用したプリンターおよびその印刷方法の実施の形態を説明する。
【００２０】
（プリンターの全体構成）
図１はプリンターの主要部分の概略構成図であり、図１（ａ）は側面構成、図１（ｂ）は平面構成、図１（ｃ）はプリンターの制御系のブロック図である。プリンター１はインクジェットプリンターであり、プリンター１の内部に設けられた搬送路２に沿って長尺の記録紙３を搬送する記録紙搬送機構４（搬送手段）を備えている。搬送路２に沿ってプラテン５が配置され、このプラテン５によって搬送路２上の印刷位置Ａが規定されている。搬送路２を横断する方向にキャリッジガイド軸６が架け渡されており、このキャリッジガイド軸６に沿って往復移動するキャリッジ７が設けられている。キャリッジ７にはインクジェットヘッド８が搭載されている。インクジェットヘッド８は、プラテン５側にインクノズル面を向けて配置されている。
【００２１】
搬送路２における印刷位置Ａの搬送方向上流側には、記録紙３の幅方向の通過位置を検出するための検出位置Ｂが設定されており、この検出位置Ｂにセンサーユニット９（検出手段）が設けられている。本実施形態では、センサーユニット９として、搬送路２上の記録紙３に検査光を照射するＬＥＤ光源と、記録紙３からの反射光を検出するためのＣＣＤ素子と、反射光をＣＣＤ素子に結像させるためのレンズアレイ等を備えたＣＩＳ（コンタクトイメージセンサー）を用いている。センサーユニット９は、搬送路２を横断する方向にＬＥＤ光源およびＣＣＤ素子を配列して構成されているため、各ＣＣＤ素子の受光量に基づき、記録紙３の左端および右端の各位置を検出できる。
【００２２】
図２は記録紙に形成される印刷ドット列の説明図である。プリンター１の制御部１０は、印刷データを受信すると、記録紙搬送機構４を制御して記録紙３を搬送しながら、この搬送動作と連動させてキャリッジ駆動機構７ａを制御し、キャリッジ７を往復移動させる。そして、キャリッジ７に搭載したインクジェットヘッド８を印刷位置Ａにおいて搬送路２を横断する方向に走査しながら、インクジェットヘッド８の各ノズルからインクを吐出する。これらの動作により、記録紙３を所定ピッチずつ搬送する毎に、印刷位置Ａに到達している記録紙３の部分である印刷対象部分３ａに、キャリッジ７の走査方向に並ぶ印刷ドット列１１（印刷画素列）が形成される。
【００２３】
図２では、記録紙３の例として、剥離紙からなる長尺の台紙に定型のラベルを貼り付けたラベル紙を図示している。ラベル紙の場合、ラベル３ｂの領域内に各印刷ドット列１１を形成するように、印刷データが作成される。
【００２４】
図３は、記録紙の斜行（スキュー）が発生したときの状態を示す説明図である。記録紙搬送機構４は、記録紙３の各部分を予め設定した搬送基準位置、例えば、搬送路２の中央位置あるいは左端位置などに位置合わせした状態を維持しながら搬送するように構成されている。しかしながら、記録紙３を搬送路２に対して傾けてセットしてしまったり、あるいは、何らかの原因により紙送りが左右均等に行われない場合などに、記録紙３が搬送路２に対して傾いた方向に搬送されてしまい、図３に示すように、印刷位置Ａにおいて搬送基準位置から記録紙３が幅方向に位置ずれしてしまう場合がある。
【００２５】
図３に搬送基準位置から位置ずれしていない状態における記録紙３の通過領域（基準通過領域Ｃ）を示す。記録紙３の斜行が発生すると、この基準通過領域Ｃに対して、記録紙３の各部分が、斜行量に応じた寸法だけ幅方向に位置ずれする。本実施形態では、印刷位置Ａに到達する直前の検出位置Ｂにおいて、センサーユニット９により、記録紙３の実際の通過位置を検出する。そして、検出結果に基づき、印刷位置Ａにおける記録紙３の実際の通過位置の、基準通過領域Ｃからのはみ出し方向Ｄおよびはみ出し幅Ｅを算出する。例えば、本実施形態のように印刷位置Ａと検出位置Ｂを十分近接させた場合には、検出位置Ｂにおける位置ずれ方向と、印刷位置Ａにおける記録紙３のはみ出し方向Ｄが一致する。また、検出位置Ｂにおける位置ずれ量と、印刷位置Ａにおける記録紙３のはみ出し幅Ｅが一致するものとして取り扱うことができる。
【００２６】
基準通過領域Ｃは、使用する記録紙３の種類および位置合わせ基準に応じて予め設定しておくことができる。あるいは、印刷データにおいて基準通過領域Ｃを指定してもよい。なお、上記のように、記録紙３としてラベル紙を用いる場合、センサーユニット９によって検出する記録紙３の端位置を、台紙部分の端位置としてもよいし、ラベル部分の端位置としてもよい。台紙部分の端位置を検出する場合には、図３に示すように、台紙部分の通過領域を基準通過領域Ｃとして設定することができる。また、ラベル部分の端位置を検出する場合には、ラベル部分の通過領域を基準通過領域Ｃとして設定してもよい。
【００２７】
（スキュー発生時の印刷方法）
本実施形態では、センサーユニット９の検出結果に基づき、記録紙３の実際の通過位置が基準通過領域Ｃからずれている場合にはそのことを判別する。そして、検出したはみ出し方向Ｄおよびはみ出し幅Ｅに基づき、印刷位置Ａに到達している記録紙３の部分（印刷対象部分３ａ）に印刷する印刷ドット列１１について、そのはみ出し方向Ｄ側の端部をはみ出し幅Ｅに応じた長さ分だけ延長すると共に、はみ出し方向Ｄとは逆の側の端部を、はみ出し幅Ｅに応じた長さ分だけ印刷しないように処理して、印刷動作を行う。
【００２８】
図４は本発明を適用した印刷方法のフローチャートである。プリンター１の制御部１０は、記録紙３を所定量搬送する毎に、ステップＳ１〜Ｓ４の処理を行う。まず、ステップＳ１において、センサーユニット９による記録紙３の実際の通過位置の検出を行う。続いて、ステップＳ２において、ステップＳ１の検出結果および予め設定されている基準通過領域Ｃに基づき、印刷位置Ａにおける記録紙３の基準通過領域Ｃからのはみ出し方向Ｄおよびはみ出し幅Ｅを算出して、スキューの発生の有無を判定する。具体的には、ステップＳ２において、はみ出し幅Ｅが所定の閾値以上か否かを判定する。閾値の値は適宜設定することができる。例えば、１ドットの幅とすることもできるし、印刷データの解像度に応じて設定することもできる。
【００２９】
制御部１０は、はみ出し幅Ｅが閾値以上であると判定した場合には（ステップＳ２：Ｙｅｓ）、スキューが発生したと判定し、ステップＳ３に進む。一方、はみ出し幅Ｅが閾値未満であると判定した場合には（ステップＳ２：Ｎｏ）、スキューが発生していないと判定し、ステップＳ４に進む。ステップＳ４では、制御部１０は、記録紙３が基準通過領域Ｃにあることを前提として生成されている印刷データをそのまま展開して、印刷ドット列１１を、印刷データにおいて指示されている位置に、指示されているとおりの内容で形成する。
【００３０】
図５（ａ）はスキューが発生した場合に印刷する印刷ドット列の説明図である。ステップＳ３に進んだ場合には、制御部１０は、記録紙３が基準通過領域Ｃにあることを前提として生成されている印刷データを用いて、印刷対象部分３ａに印刷される印刷ドット列１１について、その一部については印刷データで指示されているとおりの位置に印刷する。具体的には、この印刷ドット列１１におけるはみ出し方向Ｄとは逆側の端部の印刷ドットをはみ出し幅Ｅと同一長さ分だけ削除して、残りの部分を印刷データどおりに印刷する。図５（ａ）における符号１２は、印刷を行わなかった削除部分のドット列である。そして、この印刷ドット列１１におけるはみ出し方向Ｄ側の端部に、はみ出し幅Ｅと同一長さのドット列を追加して印刷する。図５（ａ）における符号１３は、追加したドット列である。
【００３１】
以上のような印刷方法により形成された印刷ドット列１１Ａは、元の印刷ドット列１１におけるはみ出し方向Ｄ側の端部がはみ出し幅Ｅと同一長さだけ延長されると共に、はみ出し方向Ｄとは逆側の端部がはみ出し幅Ｅと同一長さ分だけカットされている。このため、印刷ドット列１１Ａは、記録紙３がスキューによって基準通過領域Ｃから幅方向に位置ずれしているにもかかわらず、印刷データにおいて指示されたとおりのレイアウトで記録紙３に印刷される。よって、スキューが発生しても、縁無し印刷用の印刷データを用いて記録紙３の一端から他端まで（図５（ａ）の例では、ラベル３ｂの一端から他端まで）の区間に配置された印刷ドット列を形成できる。これにより、確実に縁無し印刷を行うことができる。また、余白付きのデータにおいても、印刷データの指定どおりの余白幅を実現できる。
【００３２】
ここで、図５（ａ）では、印刷ドット列１１を１列だけ示しているが、インクジェットヘッド８には、記録紙３の搬送方向に複数のノズルを所定のノズルピッチで配列したノズル列が設けられている。そのため、記録紙３を所定ピッチずつ搬送する毎に、印刷ドット列１１を複数列形成することができる。印刷ドット列１１を複数列形成する場合には、各印刷ドット列１１について、上記と同様のドット列１３の追加およびドット列１２の削除を行う。
【００３３】
図５（ｂ）は、印刷ドット列１１Ａにおけるドット列１３を追加した部分の拡大図である。追加したドット列１３は、元の印刷ドット列１１におけるはみ出し方向Ｄ側の最も端に位置する印刷ドット１４と同一内容の印刷ドットを、はみ出し幅Ｅと同一長さに配列したものである。このため、追加したドット列１３は、元の印刷ドット列１１の端部に違和感なく接続されており、元の印刷ドット列１１との境界を認識し難くなっている。よって、印刷結果が不自然にならず、印刷データに加工を加えたことをユーザーが気づき難くなる。
【００３４】
このように、本実施形態の印刷方法によれば、元の印刷データから抽出した印刷ドット列のうち、カットされずに印刷される部分は全て指示どおりの位置に印刷される。つまり、カットされずに印刷される部分のドットは、全て、元の印刷データで指示されているとおりのノズルを用いて印刷される。よって、元の印刷データにおいて、印刷ドット間の濃度ムラの解消などのために各ノズルからのインクの吐出量に補正が加えられていた場合には、この補正の効果が意図したとおりに得られる。よって。補正による印刷品質の向上効果を損なわずに、スキューによる印刷結果の不具合を抑制できる。
【００３５】
また、本実施形態の印刷方法では、元の印刷データのうち、スキュー状態の記録紙３と重なる位置にあるドットを印刷するためのデータについてはそのまま利用し、はみ出し幅Ｅに応じた長さの追加のドット列１３だけを新たに生成すれば良いので、データ量の増加がわずかで済む。例えば、スキュー状態のラベル３ｂを全て含む寸法に元の印刷データの印刷領域を拡大する方法に比べて、データ量の増大が少なくて済むという利点がある。
【００３６】
（改変例）
（１）上記実施形態のプリンターおよびその印刷方法は、本発明をインクジェットプリンターに適用したものであったが、本発明は、記録紙３を搬送しながら印刷位置Ａにおいて記録紙３の幅方向に延びる印刷ラインを順次形成してゆく各種のラインプリンターに適用することができる。すなわち、この種のラインプリンターにおいて、各印刷ラインにおける記録紙３のはみ出し方向Ｄ側の端部をはみ出し幅Ｅに応じた寸法だけ延長すると共に、各印刷ラインにおけるはみ出し方向Ｄとは逆側の端部を、はみ出し幅Ｅに応じた寸法だけカットして印刷を行えば良い。例えば、ライン方式のインクジェットヘッド８の場合、印刷データはノズルの数分用意されたシフトレジスタによりシフトさせながら転送する。従って、このとき、印刷データの先頭または最後をコピーして追加したり、空白を追加して印刷しないようにする処理を簡単に行うことができる。
【００３７】
（２）上記実施形態では、記録紙３の通過位置を検出するためのセンサーユニット９としてＣＩＳを用いていたが、ミラーを用いた縮小光学系を備えるＣＣＤ方式のイメージセンサーなどを用いることもできる。また、複数のフォトセンサーを記録紙３の幅方向に所定ピッチで配列し、各フォトセンサーの検出結果に基づき、記録紙３の端位置を検出することもできる。
【００３８】
（３）上記実施形態では、印刷位置Ａの直前の搬送位置において記録紙３の左端および右端を検出してスキューに起因する記録紙３の位置ずれ量および位置ずれ方向（はみ出し方向Ｄおよびはみ出し幅Ｅ）を算出していたが、スキュー量を他の検出位置および検出方法で検出して、はみ出し方向Ｄおよびはみ出し幅Ｅを算出してもよい。例えば、記録紙３の裏面に位置検出用および傾き検出用のマークを印刷しておき、このマークの読取結果に基づいて検出位置における記録紙３の傾き角度および幅方向の位置ずれ量を算出する。そして、この算出結果に基づいて、印刷位置Ａにおけるはみ出し方向Ｄおよびはみ出し幅Ｅを算出してもよい。また、記録紙３がラベル紙である場合には、搬送路２の幅方向に並ぶ２つのフォトセンサーを検出位置に設けておき、各ラベルの先端の左端部分と右端部分の通過タイミングの差に基づき、各ラベルの搬送方向に対する傾き角度を検出できる。
【００３９】
（４）上記実施形態では、はみ出し幅Ｅと同一長さのドット列を追加および削除しているが、センサーユニット９による記録紙３の通過位置の検出誤差などを考慮して、はみ出し幅Ｅよりもやや長いドット列もしくは短いドット列を追加あるいは削除するようにしてもよい。
【００４０】
（５）上記実施形態では、追加するドット列１３を、元の印刷ドット列１１の最も端の印刷ドット１４をコピーしたドットで構成していたが、追加するドット列１３として、端から数えて所定個数分の印刷ドットを繰り返し配列したドット列を用いてもよい。例えば、印刷データの元画像の解像度がドットピッチよりも大きい場合には、元画像の解像度に応じた数のドットを繰り返し配列してもよい。
【符号の説明】
【００４１】
１…プリンター、２…搬送路、３…記録紙（記録媒体）、３ａ…印刷対象部分、３ｂ…ラベル、４…記録紙搬送機構（搬送手段）、５…プラテン、６…キャリッジガイド軸、７…キャリッジ、７ａ…キャリッジ駆動機構、８…インクジェットヘッド（印刷ヘッド）、９…センサーユニット（検出手段）、１０…制御部、１１…印刷ドット列（印刷画素列）、１１Ａ…印刷ドット列、１２…ドット列、１３…ドット列、１４…印刷ドット（画素）、Ａ…印刷位置、Ｂ…検出位置、Ｃ…基準通過領域、Ｄ…はみ出し方向、Ｅ…はみ出し幅
【図１】
2011183763.tif 000003
【図２】
2011183763.tif 000004
【図３】
2011183763.tif 000005
【図４】
2011183763.tif 000006
【図５】
2011183763.tif 000007